(57)【要約】【課題】小物を載置可能な天面部が設けられた水栓装置において、取り付け強度を確保しながら全体としてスリム化を図ることができる水栓装置を提供する。【解決手段】本発明は、小物を載置可能な天面部４１が設けられた水栓装置である。水栓装置は、天板４と、収納ケース１とを備える。天板４は、天面部４１を含み、壁面に固定される固定部４５が前記天面部４１の後端部に設けられている。収納ケース１は、上面部１１，側面部２１，背面部２４を有する箱体によって形成され、内部に吐水用の弁３４が配置される。収納ケース１は、背面部２４が壁面に固定されると、上面部１１が天板４の天面部４１を下方から支持するように構成される。【選択図】図１
2015086663.tif 000002
【特許請求の範囲】
【請求項１】
小物を載置可能な天面部が設けられた水栓装置であって、
前記天面部を含み、壁面に固定される固定部が前記天面部の後端部に設けられた天板と、
少なくとも上面部，側面部，背面部を有する箱体によって形成され、内部に吐水用の弁が配置された収納ケースと
を備え、
前記収納ケースは、前記背面部が前記壁面に固定されると、前記上面部が前記天板の前記天面部を下方から支持するように構成されるものである
ことを特徴とする水栓装置。
【請求項２】
前記収納ケースが樹脂製の箱体によって構成され、前記天板が金属板によって構成されており、
前記天面部が収納ケースに連結されている
ことを特徴とする請求項１記載の水栓装置。
【請求項３】
前記固定部が前記天面部の後端部から下方に向かって突出しており、
前記収納ケースの背面部が、前記壁面に固定される前記固定部の前面に固定されている
ことを特徴とする請求項１または請求項２に記載の水栓装置。
【発明の詳細な説明】
【技術分野】
【０００１】
本発明は、水栓装置に関する。
【背景技術】
【０００２】
特許文献１には、従来の水栓装置が開示されている。この特許文献１記載の水栓装置は、水栓本体と、この水栓本体の背面の左右に設けられた偏心管と、偏心管を壁面に固定するステー部分とを備えている。また、この水栓装置は、水栓本体を上方から覆う上カバーを備えている。上カバーは、水栓本体によって支持されている。また、水栓本体は偏心管によって支持されている。上カバーの上面は、平坦面となっており、略水平な面となっている。
【０００３】
このように特許文献１記載の水栓装置は、上カバーの上面が水平な平坦面となっているため、ユーザーが上カバーの上面に小物等を仮置きすることが多い。従って、水栓装置の壁面への固定強度をある程度確保する必要がある。
【０００４】
この点について、特許文献１記載の水栓装置は、ステー部材によって偏心管が固定され、この偏心管に水栓本体が接続されて固定されているため、壁面への固定強度はある程度確保されている。
【先行技術文献】
【特許文献】
【０００５】
【特許文献１】特開２０１３−４０５４６号公報
【発明の概要】
【発明が解決しようとする課題】
【０００６】
しかしながら、この従来の水栓装置は、水栓本体の自重と、上カバーに小物などが載置された際に掛かる外力とを全て偏心管によって支持している。このため、偏心管や、水栓装置の背面側の配管は、強度の高い厚肉の配管を使用する必要がある。つまり、従来の水栓装置は、偏心管として肉厚の配管を使用しているため、スリム化を図りにくい構造となっていた。
【０００７】
本発明は、上記事情に鑑みてなされたものであり、その目的とするところは、小物を載置可能な天面部が設けられた水栓装置において、取り付け強度を確保しながら全体としてスリム化を図ることができる水栓装置を提供することにある。
【課題を解決するための手段】
【０００８】
本発明の水栓装置は、小物を載置可能な天面部が設けられた水栓装置であって、前記天面部を含み、壁面に固定される固定部が前記天面部の後端部に設けられた天板と、少なくとも上面部，側面部，背面部を有する箱体によって形成され、内部に吐水用の弁が配置された収納ケースとを備え、前記収納ケースは、前記背面部が前記壁面に固定されると、前記上面部が前記天板の前記天面部を下方から支持するように構成されるものであることを特徴とする。
【０００９】
また、この水栓装置において、前記収納ケースが樹脂製の箱体によって構成され、前記天板が金属板によって構成されており、前記天面部が収納ケースに連結されていることが好ましい。
【００１０】
また、この水栓装置において、前記固定部が前記天面部の後端部から下方に向かって突出しており、前記収納ケースの背面部が、前記壁面に固定される前記固定部の前面に固定されていることが好ましい。
【発明の効果】
【００１１】
本発明の水栓装置によれば、天板に壁面への固定部が設けられ、さらに、この天板が収納ケースによって支持されているため、水栓装置の自重を配管に支持させることなく、水栓装置を壁面に取り付けることができる。この結果、小物を載置可能な天面部が設けられた水栓装置において、取り付け強度を確保しながら全体としてスリム化を図ることができる。
【図面の簡単な説明】
【００１２】
【図１】本実施形態の水栓装置の斜視図であり、外郭部を想像線で示している。
【図２】本実施形態の水栓装置の分解斜視図である。
【図３】本実施形態の収納ケースの正面側から見た斜視図である。
【図４】本実施形態の収納ケースの背面側から見た斜視図である。
【図５】本実施形態の水栓装置の断面概略図である。
【図６】本実施形態の天板の斜視図である。
【図７】本実施形態のケーシングの斜視図である。
【図８】本実施形態の水栓装置が取り付けられる前の壁面を示す斜視図である。
【図９】本実施形態の水栓装置を壁面に固定した状態の斜視図である。
【図１０】本実施形態の水栓装置の斜視図である。
【発明を実施するための形態】
【００１３】
以下、本発明の実施形態について添付図面に基づいて説明する。
【００１４】
本実施形態の水栓装置は、浴室の壁面に取り付けられるシャワー付きの湯水混合栓である。水栓装置は、図１に示すように、前面に操作部５１を備えている。操作部５１は、ハンドルによって回動操作されるものではなく、タクタイルスイッチによって押圧操作されるものである。この操作部５１は、後述の収納ケース１内に収納された制御部３０に電気的に接続されている。
【００１５】
水栓装置は、図２に示すように、収納ケース１と、天板４と、外郭部５と、配管カバー６とを備えている。
【００１６】
収納ケース１は、図３，４に示すように、上面部１１，側面部２１，背面部２４，正面部２０，及び底面部２２を有する合成樹脂製の箱体によって構成される。上面部１１と側面部２１と正面部２０と底面部２２とは一体成形されており（以下、この成型物を収納ケース本体という）、後方に開口している。この開口の周縁に、背面部２４が固着具（例えば、ビス）を介して固定される。
【００１７】
上面部１１は、上板１２と、上板１２の上面に設けられたリブ部１３と、上板１２の後端から立ち上げられた立設部１６と、上板１２の前端に設けられた係止部１７とを備えている。上板１２は、前後方向に幅を有し、左右方向に長さを有し、平面視矩形状をしている。リブ部１３は、前後方向に長さを有しており、上板１２の上面から突出している。リブ部１３は、大リブ１４と、小リブ１５とを有しており、各リブ１４，１５が左右方向に一定のピッチで並んでいる。大リブ１４は、小リブ１５よりも突出高さが大きく形成されている。立設部１６は、左右方向に長さを有している。立設部１６の上端は、大リブ１４の上端と同じ高さに位置している。係止部１７は、断面逆Ｌ字状に形成されており、天板４の前端がはめ込まれて連結される。係止部１７は、上板１２の前端に設けられている。係止部１７は、上板１２の左右方向の全長に亙って設けられている。
【００１８】
小リブ１５の間の立設部１６の前面に沿った箇所には、バックアップ片１８が配置される。バックアップ片１８は、金属片によって構成される。バックアップ片１８には、雌ねじ１９が設けられる。立設部１６における雌ねじ１９に対応する箇所には貫通孔４８が設けられており、当該貫通孔４８には、天板４に通された固着具が挿通される。この固着具は、バックアップ片１８にねじ込まれることで、天板４を立設部１６に固定する。
【００１９】
正面部２０は、上面部１１の前端に設けられている。正面部２０は、前方に向かうほど下方に位置するように傾斜しており、これにより、その前面が前斜め上方に臨んでいる。正面部２０には、図１に示すように、操作部５１が取り付けられる。
【００２０】
側面部２１は、図３に示すように、上面部１１の左右方向の両端に設けられている。また底面部２２は、正面部２０の下端から背面部の下端までの全長に亙って設けられている。底面部２２は、側面部２１の下端縁に沿った断面形状をしており、本実施形態においては段状に形成されている。底面部２２には、吐出口２３が設けられている。また底面部２２の下端部（最も下方に位置する下面）には、給湯管８１を挿通するための挿通孔（図示せず）と、給水管８２を挿通するための挿通孔（図示せず）が設けられている。
【００２１】
背面部２４は、収納ケース本体の後方開口を水密的に覆う。背面部２４は、図４に示すように、左右方向に長さを有し、上下方向に幅を有し、背面視矩形状をしている。背面部２４には、収納ケース１内部の制御部３０の電気配線（給電用のハーネス）を取り出すための配線用孔２５が形成されている。なお、背面部２４は、収納ケース本体の開口周縁に固着具を介して固定される。
【００２２】
このような構成の収納ケース１には、図５に示すように、制御部３０と、この制御部３０に駆動制御される吐水機構部３１とが収納される。吐水機構部３１は、流量センサー３２、湯水混合弁３３、吐水用の弁３４、流路切替弁３５を備えている。
【００２３】
湯水混合弁３３には、給湯管８１と給水管８２とが接続される。湯水混合弁３３は、流入した湯と水との混合割合を変えて、任意の温度の吐水を生成する。湯水混合弁３３は、制御部３０に電気的に接続されており、制御部３０によって制御される。
【００２４】
吐水用の弁３４は、湯水混合弁３３によって生成された吐水の吐水・止水を切り替える。また、吐水用の弁３４は、吐水の流量を変更する。吐水用の弁３４は、制御部３０に電気的に接続されており、制御部３０によって制御される。制御部３０は、流量センサー３２から入力された流量値に基づいて、吐水用の弁３４を制御する。吐水用の弁３４は、例えば電磁弁によって構成される。
【００２５】
流路切替弁３５は、シャワー吐水にするか、カラン吐水にするかを切り替えるための弁である。流路切替弁３５は、制御部３０に電気的に接続されており、制御部３０によってシャワー吐水とカラン吐水との切り替えが制御される。
【００２６】
吐水機構部３１は、流量センサー３２・湯水混合弁３３・吐水用の弁３４・流路切替弁３５の順に、上流側から配管を介して接続されている。この配管は、例えば、銅管であってもよいし、フレキシブル配管であってもよい。
【００２７】
制御部３０は、操作部５１に電気的に接続される。制御部３０は、操作部５１からの信号が入力されると、吐水機構部３１に制御信号を出力し、これにより吐水機構部３１を制御する。制御部３０は、例えば、制御基板に実装されたマイクロプロセッサを主構成要素とする。
【００２８】
このような収納ケース１には、天板４が載設される。天板４は、図６に示すように、天面部４１と、固定部４５とを備えている。天面部４１と固定部４５とは、金属板を曲げ加工することで断面略Ｌ字状に形成されており、両者は一体に形成される。
【００２９】
天面部４１は、収納ケース１の上面部１１の上に配置される。天面部４１は、平坦部４２と、下り傾斜部４３と、段部４４とを備えている。平坦部４２は、収納ケース１上に取り付けられると、水平状に配置される。これにより、ユーザーは、平坦部４２に小物を載置することができる。下り傾斜部４３は、平坦部４２の前端に設けられている。下り傾斜部４３は、前方に向かうほど下方に位置するように傾斜している。段部４４は、断面Ｌ字状に形成されており、下り傾斜部４３の前端に設けられている。
【００３０】
固定部４５は、天面部４１の後端部から下方に向かって突出しており、言い換えると、天面部４１の後端部に設けられている。固定部４５は、浴室の壁面に固定される。固定部４５は、左右方向に幅を有し、上下方向に長さを有し、正面視矩形状に形成された固定板によって構成される。固定部４５は、壁面に取り付けられたハンガー７に掛け止めされる第一固定孔４６と、壁面にねじ込まれる固着具を挿通するための第二固定孔４７とが設けられている。また、固定部４５には、収納ケース１を固定する固着具を通すための貫通孔４８が設けられている。なお、貫通孔４８は、固定部４５の左右方向に所定ピッチで複数箇所に設けられ、且つ、上下方向に離れて設けられている。なお、図中の符号４９は、シャワー配管を固定するための支持片４９である。
【００３１】
天板４は次のようにして収納ケース１に固定される。製造者は、天板４の天面部４１の段部４４の先端を、収納ケース１の係止部１７に差し込み、天板４の固定部４５の前面を収納ケース１の背面部２４の後面に当てた状態に配置する。この状態で製造者は、天板４の固定部４５の貫通孔４８に固着具を挿入し、固定部４５と収納ケース１とを連結する。これにより、天板４は収納ケース１に固定される。
【００３２】
天板４が収納ケース１に固定されると、天板４の天面部４１の下面は、収納ケース１の大リブ１４の上端面に当たり、小リブ１５の上端面に近接対向する。これにより、水栓装置の設置状態では、収納ケース１の上面部１１が天板４の天面部４１を支持するように構成されている。
【００３３】
天板４が固定された収納ケース１には、外郭部５が取り付けられる。外郭部５は、収納ケース１の前方および下方を覆う。外郭部５は、図２に示すように、操作部５１と、ケーシング５４とを備えている。
【００３４】
操作部５１は、収納ケース１の正面部２０に沿って配置される。操作部５１は、表示部５２と、押しボタン５３とを備えている。表示部５２は、液晶パネルによって構成されており、制御部３０によって表示が制御される。押しボタン５３は、上述のように、タクタイルスイッチによって構成されている。押しボタン５３は、押圧操作されると、制御部３０に信号を出力するように構成されている。
【００３５】
ケーシング５４は、収納ケース１の下端部を前方から覆う。ケーシング５４は、合成樹脂によって構成される。ケーシング５４には、図７に示すように、吐出口２３を挿通するための開口部５５が設けられている。ケーシング５４が収納ケース１に取り付けられると、開口部５５は収納ケース１の吐出口２３が挿通される。また、ケーシング５４の内面には、取付爪５６が設けられている。ケーシング５４は、この取付爪５６を介して、収納ケース１に取り付けられる。
【００３６】
配管カバー６は、図２に示すように、外郭部５のケーシング５４の下端部に取り付けられる。配管カバー６は、浴室の壁内から浴室内に向かって配管された給湯管８１および給水管８２を覆うカバーである。配管カバー６は、ケーシング５４に取り付けられると、配管カバー６の前面はケーシング５４の前面に面一となり、配管カバー６の側面はケーシング５４の側面と面一となる。
【００３７】
このような構成の水栓装置は、次のようにして取り付けられる。
【００３８】
施工者は、図８に示すように、壁面にハンガー７を固定する。ハンガー７は、固定片７１と係止片７２とから構成されている。係止片７２は、固定片７１の上端に設けられている。係止片７２は、壁面に固定片７１が固定されると、壁面と隙間を介して配置される。なお、図中の符号８１は浴室に予め配管された給湯管であり、符号８２は浴室に予め配管された給水管８２である。
【００３９】
次いで、施工者は、天板４の固定部４５をハンガー７に固定する（図９）。施工者は、天板４の固定部４５に設けられた第一固定孔４６をハンガー７の係止片７２に上方から差し込む。施工者は、この状態で第二固定孔４７に固着具を挿入し、固定部４５と壁とを固定する。この後、施工者は、給湯管８１と給水管８２とを、水栓装置側の給湯管と給水管とにそれぞれ接続する。
【００４０】
次いで、施工者は、配管カバー６を設置する（図１０）。これにより、水栓装置の壁面への設置が完了する。
【００４１】
以上、説明したように、本実施形態の水栓装置は、小物を載置可能な天面部４１が設けられた水栓装置である。水栓装置は、天板４と、内部に吐水用の弁３４が配置された収納ケース１とを備えている。天板４は、天面部４１を含み、壁面に固定される固定部４５が前記天面部４１の後端部に設けられている。収納ケース１は、少なくとも上面部１１，側面部２１，背面部２４を有する箱体によって形成されている。この収納ケース１は、背面部２４が壁面に固定されると（本実施形態では収納ケース１の背面部２４は固定部４５を介して壁面に固定される）、上面部１１が天板４の天面部４１を下方から支持するように構成される。
【００４２】
このように、本実施形態の水栓装置によれば、天板４に設けられた固定部４５と、収納ケース１とによって、水栓装置の壁面への取付強度が保たれる。このため、本実施形態の水栓装置は、従来の水栓装置のように、給水管８２等によって強度を確保する必要がない。従って、本実施形態の水栓装置によれば、配管として、外力に対する強度を考慮した配管を使用する必要がないため、薄肉の配管を用いることもできる。この結果、本実施形態の水栓装置によれば、取り付け強度を確保しながら、全体の形状をスリムにすることが可能となる。
【００４３】
また、本実施形態の水栓装置は、収納ケース１が樹脂製の箱体によって構成され、天板４が金属板によって構成されている。天板４の天面部４１は、収納ケース１に連結されている。
【００４４】
このため、本実施形態の水栓装置によれば、壁面への取付強度をより強くすることができる。
【００４５】
また、本実施形態の固定部４５は、天面部４１の後端部から下方に向かって突出している。収納ケース１の背面部２４は、壁面に固定された前記固定部４５の前面に固定されている。
【００４６】
このため、本実施形態の水栓装置によれば、天板４の収納ケース１への取り付け状態をより安定した状態にすることができる。このため、施工者は、ユニット化された水栓装置を壁に取り付けるだけでよく、取付施工が容易である。
【００４７】
なお、本実施形態の収納ケース１は、上面部１１，側面部２１，背面部２４，正面部２０，及び底面部２２を有していたが、下方および前方に開口した形状であってもよい。すなわち、収納ケース１は、少なくとも、上面部１１，側面部２１，背面部２４を有する箱体であれば強度が保てるため、本実施形態のものに限定されない。
【００４８】
また、本実施形態の収納ケース１は、固定部４５を介して壁面に固定されていたが、壁面に直接固定されてもよい。この場合、天板４の固定部４５は、天面部４１よりも上方の壁面に固定されてもよく、また、収納ケース１の左右にずれた位置に固定されてもよい。また、固定部４５は、板状でなくてもよく、本実施形態のものに限定されない。
【符号の説明】
【００４９】
１        収納ケース
１１      上面部
２０      正面部
２１      側面部
２２      底面部
２３      吐出口
２４      背面部
３０      制御部
３１      吐水機構部
４        天板
４１      天面部
４５      固定部
５        外郭部
５１      操作部
５２      表示部
５３      押しボタン
５４      ケーシング
６      配管カバー
７      ハンガー
【図１】
2015086663.tif 000003
【図２】
2015086663.tif 000004
【図３】
2015086663.tif 000005
【図４】
2015086663.tif 000006
【図５】
2015086663.tif 000007
【図６】
2015086663.tif 000008
【図７】
2015086663.tif 000009
【図８】
2015086663.tif 000010
【図９】
2015086663.tif 000011
【図１０】
2015086663.tif 000012